(57)【要約】【課題】時間的あるいは光学的に分割した第１画像および第２画像を表示する第１モードと、時間的あるいは光学的に分割せずに画像を表示する第２モードとにおける明るさの差を圧縮した場合でも、第２モード時の画像の品位の低下を抑えることができる液晶表示装置、および電子機器を提供すること。【解決手段】液晶表示装置１００において、バックライト装置８は、液晶パネル１０に重ねて配置された導光板８０と、導光板８０の側面に配置された発光素子８９、および発光素子８９を駆動する光源駆動部２８０とを備えている。光源駆動部２８０は、液晶パネル１０において３Ｄ画像を表示する時には複数の発光素子８９の全てを間欠的に点灯させる。これに対して、液晶パネル１０において２Ｄ画像を表示する時には、一部の列の発光素子８９の各々の発光強度を３Ｄモード時と同一とし、他の一部の列の発光素子８９の各々の発光強度を３Ｄモード時より低減させる。【選択図】図１
2014032225.tif 000002
【特許請求の範囲】
【請求項１】
画像表示領域を備えた液晶パネルと、
該液晶パネルに対して表示光の出射側と反対側に重ねて配置された導光板、該導光板の
側面に配置された光源、および該光源を駆動する光源駆動部を備えたバックライト装置と
、
を有する液晶表示装置であって、
前記光源は、前記導光板の複数の側面のいずれかの側面に沿って配列された発光素子か
らなる第１発光素子列と、前記複数の側面の他の側面に沿って配列された発光素子からな
る第２発光素子列と、を含み、
前記光源駆動部は、前記画像表示領域に第１画像および該第１画像と時間的あるいは光
学的に分割して第２画像を表示する第１モード時には前記第１発光素子列および前記第２
発光素子列を点灯させ、前記画像表示領域の全域に時間的あるいは光学的に分割せずに画
像を表示する第２モード時には、前記第１発光素子列の発光強度および前記第２発光素子
列の発光強度を発光素子列毎に制御して、前記第１発光素子列および前記第２発光素子列
の発光強度の和を前記第１モード時より低減させることを特徴とする液晶表示装置。
【請求項２】
前記光源駆動部は、前記第２モード時には、前記第１発光素子列の発光強度を前記第１
モード時と同一とし、前記第２発光素子列の発光強度を前記第１モード時より低減させる
ことを特徴とする請求項１に記載の液晶表示装置。
【請求項３】
前記光源駆動部は、前記第２モード時には、前記第２発光素子列を消灯状態とすること
を特徴とする請求項２に記載の液晶表示装置。
【請求項４】
前記第１モードでは、前記画像表示領域に前記第１画像を表示する第１画像表示期間と
、前記画像表示領域での表示を前記第１画像から前記第２画像に書き換えていく第１過渡
期間と、前記画像表示領域に前記第２画像を表示する第２画像表示期間と、前記画像表示
領域での表示を前記第２画像から前記第１画像に書き換えていく第２過渡期間と、を順に
行うとともに、前記第１画像表示期間および前記第２画像表示期間では前記第１発光素子
列および前記第２発光素子列を点灯させ、前記第１過渡期間および前記第２過渡期間では
前記第１発光素子列および前記第２発光素子列を消灯させることを特徴とする請求項１乃
至３の何れか一項に記載の液晶表示装置。
【請求項５】
前記第１モードでは、第１偏光の光および前記画像表示領域に配置された複数の第１画
素を用いて前記第１画像を表示するとともに、第２偏光の光および前記画像表示領域に前
記第１画素と分割して配置された複数の第２画素を用いて前記第２画像を表示することを
特徴とする請求項１乃至３の何れか一項に記載の液晶表示装置。
【請求項６】
前記第１モードは、３Ｄ画像を表示する３Ｄモードであり、
前記第２モードは、２Ｄ画像を表示する２Ｄモードであることを特徴とする請求項１乃
至５の何れか一項に記載の液晶表示装置。
【請求項７】
前記導光板は、一方方向で対向する第１組の側面、および前記一方方向と交差する他方
方向で対向する第２組の側面を有し、
前記第１発光素子列は、前記第１組に属する２つの側面に沿って配列され、
前記第２発光素子列は、前記第２組に属する２つの側面に沿って配列されていることを
特徴とする請求項１乃至６の何れか一項に記載の液晶表示装置。
【請求項８】
前記導光板は、一方方向に延在する第１側面、および前記一方方向と交差する他方方向
に延在する第２側面を有し、
前記第１発光素子列は、前記第１側面に沿って配列され、
前記第２発光素子列は、前記第２側面に沿って配列されていることを特徴とする請求項
１乃至６の何れか一項に記載の液晶表示装置。
【請求項９】
前記導光板は、一方方向で対向する第１側面および第２側面を有し、
前記第１発光素子列は、前記第１側面に沿って配列され、
前記第２発光素子列は、前記第２側面に沿って配列されていることを特徴とする請求項
１乃至６の何れか一項に記載の液晶表示装置。
【請求項１０】
前記導光板は、一方方向で対向する第１組の側面、および前記一方方向と交差する他方
方向で対向する第２組の側面を有し、
前記第１発光素子列は、前記第１組に属する２つの側面のうちの一方の側面、および前
記第２組に属する２つの側面のうちの一方の側面に沿って配列され、
前記第２発光素子列は、前記第１組に属する２つの側面のうちの他方の側面、および前
記第２組に属する２つの側面のうちの他方の側面に沿って配列されていることを特徴とす
る請求項１乃至６の何れか一項に記載の液晶表示装置。
【請求項１１】
前記第１発光素子列と前記第２発光素子列とにおいて、前記導光板を挟んで対向する前
記第１発光素子列側の発光素子の第１出射光軸、および前記第２発光素子列側の発光素子
の第２出射光軸は、当該発光素子が配列された前記側面の延在方向でずれており、
前記導光板には、前記第１出射光軸と平面視で重なる領域に前記第１発光素子列側の発
光素子に近い位置から離間する位置に向かって拡散度合が増大する拡散パターンが形成さ
れ、前記第２出射光軸と平面視で重なる領域に前記第２発光素子列側の発光素子に近い位
置から離間する位置に向かって拡散度合が増大する拡散パターンが形成されていることを
特徴とする請求項９または１０に記載の液晶表示装置。
【請求項１２】
請求項１乃至１１の何れか一項に記載の液晶表示装置を備えていることを特徴とする電
子機器。
【発明の詳細な説明】
【技術分野】
【０００１】
本発明は、画像表示領域に時間的あるいは光学的に分割した第１画像および第２画像を
表示する第１モードと、画像表示領域に時間的あるいは光学的に分割せずに画像を表示す
る第２モードとが実行される液晶表示装置、および当該液晶表示装置を備えた電子機器に
関するものである。
【背景技術】
【０００２】
液晶表示装置は、画像表示領域を備えた液晶パネルと、液晶パネルに照明光を供給する
バックライト装置とを有しており、バックライト装置は、液晶パネルに対して表示光の出
射側と反対側に重ねて配置された導光板と、導光板の側面に配置された光源と、光源を駆
動する光源駆動部とを備えている。近年、液晶表示装置として、画像表示領域に時間的あ
るいは光学的に分割した第１画像および第２画像を表示する第１モードと、画像表示領域
の全域に時間的あるいは光学的に分割せずに画像を表示する第２モードとが実行されるも
のが提案されている。例えば、画像表示領域に時間的に分割して第１画像および第２画像
を表示して、第１画像および第２画像によって３Ｄ画像（３次元画像／立体画像）を表示
する３Ｄモード（第１モード）と、画像表示領域の全域に時間的および光学的に分割せず
に２Ｄ画像（２次元画像／平面画像）を表示する２Ｄモード（第２モード）を切り換えて
使用する液晶表示装置が提案されている。しかしながら、液晶パネルに３Ｄ画像および２
Ｄ画像を表示すると、図１０を参照して以下に説明するように、３Ｄ画像の表示が暗くな
ってしまう。
【０００３】
図１０は、液晶パネルにおいて３Ｄ画像および２Ｄ画像を表示する際の説明図であり、
図１０（ａ）、（ｂ）、（ｃ）は各々、光源の点灯状態を示す説明図、３Ｄ画像を表示す
る際に光源が点灯する期間を示す説明図、および２Ｄ画像を表示する際に光源が点灯する
期間を示す説明図である。なお、図１０に示す例においては、３Ｄ画像および２Ｄ画像を
表示する場合のいずれにおいても、図１０（ａ）に矢印で光源光Ｂａ、Ｂｂ、Ｂｃ、Ｂｄ
で示すように、バックライト装置では、導光板の４つの側面から光源（図示せず）からの
光が入射するとする。
【０００４】
まず、図１０（ｂ）に示すように、液晶パネルで３Ｄ画像を表示する場合、時間ｔ０〜
ｔ１は、それまで表示されていた左目用の画像（Ｌ）を液晶パネルの上側から下側に向か
って右目用の画像（Ｒ）に書き換える過渡期間であり、かかる過渡期間では、全ての光源
を消灯状態とする。時間ｔ０〜ｔ１において、左目用の画像（Ｌ）から右目用の画像（Ｒ
）への書き換えが終了すると、次に時間ｔ１〜ｔ２において右目用の画像（Ｒ）を再度、
液晶パネルに書き込む。かかる時間ｔ１〜ｔ２においては全ての光源を点灯状態とするた
め、光源光Ｂａ、Ｂｂ、Ｂｃ、Ｂｄによって右目用の画像（Ｒ）が表示される。観察者は
左右目に対応した液晶シャッターが配置されたシャッター眼鏡を装着しており、画像表示
領域の全域で右目用の画像（Ｒ）が表示され、かつ、全ての光源が点灯状態となっている
時間ｔ１〜ｔ２においては、シャッター眼鏡の右目に対応した液晶シャッターが透過状態
となり、左目に対応した液晶シャッターは遮光状態となる。これにより、右目用の画像（
Ｒ）を右目でのみ視認することになる。以降、同様な動作を繰り返す。これに対して液晶
パネルに２Ｄ画像を表示する場合、全ての光源を常時点灯状態とするため、光源光Ｂａ、
Ｂｂ、Ｂｃ、Ｂｄによって画像が表示される。ここで、３Ｄモードではバックライト装置
の点灯が間欠的であるのに対して、２Ｄモードではバックライト装置の点灯が連続的であ
る。このため、３Ｄ画像を表示した際、バックライト装置から液晶パネルに供給される光
量は、２Ｄ画像を表示した際の１／２となるので、３Ｄ画像と２Ｄ画像との明るさの差は
大きい。しかも、左目用の画像（Ｌ）と右目用の画像（Ｒ）とを時間をずらして液晶パネ
ルに表示するため、左目用の画像（Ｌ）と右目用の画像（Ｒ）とを合成すると、３Ｄ画像
は、２Ｄ画像に比して１／２以下の明るさとなってしまう。
【０００５】
そこで、３Ｄ画像を表示する際には、導光板の１つの側面に沿って光源として配列した
複数の発光素子を全て点灯させる一方、２Ｄ画像を表示する際には、複数の発光素子を１
つおきに点灯させる技術が提案されている（特許文献１参照）。
【先行技術文献】
【特許文献】
【０００６】
【特許文献１】特開２００６−２２８７２３号公報の図２
【発明の開示】
【発明が解決しようとする課題】
【０００７】
しかしながら、特許文献１に記載の技術のように、２Ｄ画像を表示する際に複数の発光
素子を１つおきに点灯させる技術では、点灯状態の発光素子の間に消灯状態の発光素子が
介在するので、導光板に入射する光の強度分布が場所により大きく異なり、その結果、導
光板から液晶パネルに入射する光の強度分布が劣化し、画像の品位が著しく低下するとい
う問題点がある。
【０００８】
上記の問題点は、第１モードにおいて、異なる種類の偏光を用いて、画像表示領域に第
１画像および第２画像を光学的に分割して同時に表示し、第１画像および第２画像によっ
て３Ｄ画像を表示する場合も同様に発生する。また、上記の問題点は、第１モードにおい
て、画像表示領域に表示した２Ｄ画像からなる第１画像を特定の人に視認させ、画像表示
領域に表示した２Ｄ画像からなる第２画像を別の人に視認させる場合でも同様に発生する
。
【０００９】
以上の問題点に鑑みて、本発明の課題は、時間的あるいは光学的に分割した第１画像お
よび第２画像を表示する第１モードと、時間的あるいは光学的に分割せずに画像を表示す
る第２モードとにおける明るさの差を圧縮した場合でも、第２モード時の画像の品位の低
下を抑えることができる液晶表示装置、および電子機器を提供することにある。
【課題を解決するための手段】
【００１０】
上記課題を解決するために、本発明は、画像表示領域を備えた液晶パネルと、該液晶パ
ネルに対して表示光の出射側と反対側に重ねて配置された導光板、該導光板の側面に配置
された光源、および該光源を駆動する光源駆動部を備えたバックライト装置と、を有する
液晶表示装置であって、前記光源は、前記導光板の複数の側面のいずれかの側面に沿って
配列された発光素子からなる第１発光素子列と、前記複数の側面の他の側面に沿って配列
された発光素子からなる第２発光素子列と、を含み、前記光源駆動部は、前記画像表示領
域に第１画像および該第１画像と時間的あるいは光学的に分割して第２画像を表示する第
１モード時には前記第１発光素子列および前記第２発光素子列を点灯させ、前記画像表示
領域の全域に時間的あるいは光学的に分割せずに画像を表示する第２モード時には、前記
第１発光素子列の発光強度および前記第２発光素子列の発光強度を発光素子列毎に制御し
て、前記第１発光素子列および前記第２発光素子列の発光強度の和を前記第１モード時よ
り低減させることを特徴とする。
【００１１】
本発明では、時間的あるいは光学的に分割して第１画像および第２画像を表示する第１
モード時には第１発光素子列および第２発光素子列を点灯させ、時間的あるいは光学的に
分割せずに画像を表示する第２モード時には、第１発光素子列および第２発光素子列の発
光強度を発光素子列毎に制御し、第１発光素子列および第２発光素子列の発光強度の和を
第１モード時より第２モード時に低減させる。このため、第１モード時に分割された画像
と第２モード時の画像とにおける明るさの差を圧縮することができる。また、第２モード
時には、発光素子列毎に発光強度を制御するため、発光素子列内での各発光素子の発光強
度が同等である。従って、導光板から液晶パネルに入射する光の強度分布が劣化しない。
それ故、第２モード時、画像の品位の低下を抑えることができる。
【００１２】
本発明において、前記光源駆動部は、前記第２モード時には、前記第１発光素子列の発
光強度を前記第１モード時と同一とし、前記第２発光素子列の発光強度を前記第１モード
時より低減させる構成を採用することができる。
【００１３】
本発明において、前記光源駆動部は、前記第２モード時、前記第２発光素子列を消灯状
態とする構成を採用することができる。
【００１４】
本発明においては、例えば、前記第１モードでは、前記画像表示領域に前記第１画像を
表示する第１画像表示期間と、前記画像表示領域での表示を前記第１画像から前記第２画
像に書き換えていく第１過渡期間と、前記画像表示領域に前記第２画像を表示する第２画
像表示期間と、前記画像表示領域での表示を前記第２画像から前記第１画像に書き換えて
いく第２過渡期間と、を順に行うとともに、前記第１画像表示期間および前記第２画像表
示期間では前記第１発光素子列および前記第２発光素子列を点灯させ、前記第１過渡期間
および前記第２過渡期間では前記第１発光素子列および前記第２発光素子列を消灯させる
。かかる構成によれば、第１画像および第２画像を時間的に分割して表示することができ
る。
【００１５】
本発明において、前記第１モードでは、第１偏光の光および前記画像表示領域に配置さ
れた複数の第１画素を用いて前記第１画像を表示するとともに、第２偏光の光および前記
画像表示領域に前記第１画素と分割して配置された複数の第２画素を用いて前記第２画像
を表示する構成を採用してもよい。かかる構成によれば、第１画像および第２画像を光学
的に分割して表示することができる。
【００１６】
本発明において、例えば、前記第１モードは、３Ｄ画像を表示する３Ｄモードであり、
前記第２モードは、２Ｄ画像を表示する２Ｄモードである。
【００１７】
本発明において、前記導光板は、一方方向で対向する第１組の側面、および前記一方方
向と交差する他方方向で対向する第２組の側面を有し、前記第１発光素子列は、前記第１
組に属する２つの側面に沿って配列され、前記第２発光素子列は、前記第２組に属する２
つの側面に沿って配列されている構成を採用することができる。
【００１８】
本発明において、前記導光板は、一方方向に延在する第１側面、および前記一方方向と
交差する他方方向に延在する第２側面を有し、前記第１発光素子列は、前記第１側面に沿
って配列され、前記第２発光素子列は、前記第２側面に沿って配列されている構成を採用
してもよい。
【００１９】
本発明において、前記導光板は、一方方向で対向する第１側面および第２側面を有し、
前記第１発光素子列は、前記第１側面に沿って配列され、前記第２発光素子列は、前記第
２側面に沿って配列されている構成を採用してもよい。
【００２０】
本発明において、前記導光板は、一方方向で対向する第１組の側面、および前記一方方
向と交差する他方方向で対向する第２組の側面を有し、前記第１発光素子列は、前記第１
組に属する２つの側面のうちの一方の側面、および前記第２組に属する２つの側面のうち
の一方の側面に沿って配列され、前記第２発光素子列は、前記第１組に属する２つの側面
のうちの他方の側面、および前記第２組に属する２つの側面のうちの他方の側面に沿って
配列されている構成を採用してもよい。
【００２１】
本発明において、前記第１発光素子列と前記第２発光素子列とにおいて、前記導光板を
挟んで対向する前記第１発光素子列側の発光素子の第１出射光軸、および前記第２発光素
子列側の発光素子の第２出射光軸は、当該発光素子が配列された前記側面の延在方向でず
れており、前記導光板には、前記第１出射光軸と平面視で重なる領域に前記第１発光素子
列側の発光素子に近い位置から離間する位置に向かって拡散度合が増大する拡散パターン
が形成され、前記第２出射光軸と平面視で重なる領域に前記第２発光素子列側の発光素子
に近い位置から離間する位置に向かって拡散度合が増大する拡散パターンが形成されてい
ることが好ましい。かかる構成によれば、第２モ−ドの際、導光板を挟んで対向する第１
発光素子列および第２発光素子列の発光強度を変化させても輝度分布が適正な状態を維持
することができる。
【００２２】
本発明に係る液晶表示装置は、液晶テレビジョン等の電子機器に用いられる。
【図面の簡単な説明】
【００２３】
【図１】本発明の実施の形態１に係る液晶表示装置を備えた液晶テレビジョン（電子機器）の説明図である。
【図２】本発明の実施の形態１に係る液晶表示装置の全体構成を示す説明図である。
【図３】本発明の実施の形態１に係る液晶表示装置をさらに細かく分解したときの分解斜視図である。
【図４】本発明の実施の形態１に係る液晶表示装置における発光素子の点灯パターンを示す説明図である。
【図５】本発明の実施の形態２に係る液晶表示装置における発光素子の点灯パターンを示す説明図である。
【図６】本発明の実施の形態３に係る液晶表示装置における発光素子の点灯パターンを示す説明図である。
【図７】本発明の実施の形態３に係る液晶表示装置に用いた導光板の改良例を示す説明図である。
【図８】本発明の実施の形態４に係る液晶表示装置における発光素子の点灯パターンを示す説明図である。
【図９】本発明の実施の形態４に係る液晶表示装置に用いた導光板の改良例を示す説明図である。
【図１０】液晶パネルにおいて３Ｄ画像および２Ｄ画像を表示する際の説明図である。
【発明を実施するための形態】
【００２４】
図面を参照して、液晶テレビジョン用の液晶表示装置に本発明を適用した形態を説明す
る。なお、以下の説明で参照する図においては、各層や各部材を図面上で認識可能な程度
の大きさとするため、各層や各部材毎に縮尺を異ならしめてある。また、以下の説明では
、導光板や液晶パネルの面内方向で互いに交差する方向をＸ軸方向（横方向）およびＹ軸
方向（縦方向／上下方向）とし、Ｘ軸方向およびＹ軸方向に交差する方向をＺ軸方向（厚
さ方向）とする。また、以下に参照する図面では、Ｘ軸方向の一方側（画像に向かって左
側）をＸ１側とし、他方側（画像に向かって右側）をＸ２側とし、Ｙ軸方向の一方側（画
像の下側）をＹ１側とし、他方側（画像の上側）をＹ２側とする。また、Ｚ軸方向の一方
側（背面側／照明光や表示光が出射される側とは反対側）をＺ１側とし、他方側（前面側
／照明光や表示光が出射される側）をＺ２側とする。
【００２５】
また、以下の実施の形態においては、液晶表示装置において、液晶パネルの画像表示領
域の全域に第１画像および第２画像を時間的あるいは光学的に分割して表示する「第１モ
ード」として、時間をずらして３Ｄ画像用の左目用画像（第１画像）および右目用画像（
第２画像）を表示する３Ｄモードを実行する例を説明する。この場合、画像表示領域の全
域に時間的あるいは光学的に分割せずに画像を表示する「第２モード」は、画像表示領域
の全域に２Ｄ画像を表示する２Ｄモードに相当する。本形態において、３Ｄモードでは、
視聴者は、シャッター眼鏡によって右目用画像と左目用画像とを交互に視認することにな
る。なお、本発明は、後述するように、偏光めがね等を着用する方法の他、液晶パネルに
液晶パララックス・バリヤー（Ｌｉｑｕｉｄ  Ｃｒｙｓｔａｌ  Ｐａｒａｌｌａｘ  ｂａ
ｒｒｉｅｒ）等の可変バリアを設け、肉眼で３Ｄ画像と２Ｄ画像を切り換えて表示する方
法を採用する液晶表示装置にも適用することができる。
【００２６】
［実施の形態１］
（全体構成）
図１は、本発明の実施の形態１に係る液晶表示装置を備えた液晶テレビジョン（電子機
器）の説明図であり、図１（ａ）、（ｂ）は各々、液晶テレビジョンの外観を模式的に示
す説明図、および液晶表示装置の電気的構成を示すブロック図である。
【００２７】
図１（ａ）に示す電子機器２０００は液晶テレビジョンであり、液晶表示装置１００、
テレビジョン用のフレーム２０１０、およびテレビジョン用のスタンド２０２０等を有し
ている。液晶表示装置１００は、透過型の液晶パネル１０と、液晶パネル１０に画像信号
を供給する画像信号供給部２７０と、液晶パネル１０に背面側から照明光を供給するバッ
クライト装置８とを有している。また、液晶表示装置１００は、液晶パネル１０において
Ｘ軸方向に延在する走査線を駆動する走査線駆動回路１０４と、液晶パネル１０において
Ｙ軸方向に延在するデータ線を駆動するデータ線駆動回路１０１とを有している。走査線
駆動回路１０４およびデータ線駆動回路１０１については、双方が液晶パネル１０に内蔵
された構成を採用することができる。また、走査線駆動回路１０４およびデータ線駆動回
路１０１のうちの一方が液晶パネル１０に内蔵され、他方が液晶パネル１０にＣＯＧ実装
された駆動用ＩＣに内蔵された構成や、走査線駆動回路１０４およびデータ線駆動回路１
０１の双方が液晶パネル１０にＣＯＧ実装された駆動用ＩＣに内蔵された構成を採用する
ことができる。また、走査線駆動回路１０４およびデータ線駆動回路１０１のうちの一方
が液晶パネル１０に内蔵され、他方が液晶パネル１０に電気的に接続された回路基板に実
装された駆動用ＩＣに内蔵された構成を採用することができる。さらには、走査線駆動回
路１０４およびデータ線駆動回路１０１の双方が液晶パネル１０とは別体の駆動用ＩＣに
内蔵された構成等を採用することもできる。
【００２８】
バックライト装置８は、液晶パネル１０に重ねて配置された導光板８０と、導光板８０
の側面に沿って配置された複数の発光素子８９（光源）と、複数の発光素子８９が実装さ
れた光源用基板８８と、複数の発光素子８９を駆動する光源駆動部２８０とを有している
。液晶パネル１０は四角形であり、４つの辺１０ａ、１０ｂ、１０ｃ、１０ｄを有してい
る。これらの辺１０ａ、１０ｂ、１０ｃ、１０ｄのうち、辺１０ａはＹ軸方向の一方側Ｙ
１に位置する長辺であり、辺１０ｂはＹ軸方向の他方側Ｙ２に位置する長辺であり、辺１
０ｃはＸ軸方向の一方側Ｘ１に位置する短辺であり、辺１０ｄはＸ軸方向の他方側Ｘ２に
位置する短辺である。かかる形状に対応して、導光板８０は、４つの側面８０１、８０２
、８０３、８０４を有している。これらの側面８０１、８０２、８０３、８０４のうち、
側面８０１はＹ軸方向の一方側Ｙ１の長辺に位置し、側面８０２はＹ軸方向の他方側Ｙ２
の長辺に位置し、側面８０３はＸ軸方向の一方側Ｘ１の短辺に位置し、側面８０４はＸ軸
方向の他方側Ｘ２の短辺に位置する。従って、導光板８０は、Ｙ軸方向で対向する組の側
面８０１、８０２と、Ｘ軸方向で対向する組の側面８０３、８０４とを備えている。
【００２９】
本形態では、導光板８０の４つの側面８０１、８０２、８０３、８０４のいずれもが光
入射部８０ａになっている。このため、発光素子８９は、導光板８０の４つの側面８０１
、８０２、８０３、８０４に沿って配列され、光源用基板８８は、導光板８０の４つの側
面８０１、８０２、８０３、８０４に沿って延在している。
【００３０】
かかる液晶表示装置１００において、画像信号供給部２７０は、液晶パネル１０におい
て、３Ｄ画像（３次元画像／立体画像）および２Ｄ画像（２次元画像／平面画像）を表示
させる。また、光源駆動部２８０は、後述するように、画像信号供給部２７０から出力さ
れた信号等に基づいて、液晶パネル１０で３Ｄ画像が表示される３Ｄモード（第１モード
）と、液晶パネル１０で２Ｄ画像が表示される２Ｄモード（第２モード）とにおいて、バ
ックライト装置８における発光素子８９の駆動パターンを切り換える。
【００３１】
（液晶表示装置１００の具体的構成）
図２は、本発明の実施の形態１に係る液晶表示装置１００の全体構成を示す説明図であ
り、図２（ａ）、（ｂ）は各々、液晶表示装置１００の斜視図および分解斜視図である。
図３は、本発明の実施の形態１に係る液晶表示装置１００をさらに細かく分解したときの
分解斜視図である。
【００３２】
図２および図３に示すように、液晶表示装置１００は、導光板８０の背面側（Ｚ軸方向
の一方側Ｚ１）を覆うように配置された支持プレート４０と、支持プレート４０の前方で
液晶パネル１０の端部を保持するとともにバックライト装置８を囲って保持する樹脂フレ
ーム３０と、樹脂フレーム３０の前側（Ｚ軸方向の他方側Ｚ２）に配置された金属フレー
ム５０とを備えている。
【００３３】
樹脂フレーム３０は、液晶パネル１０の端部を保持するとともに液晶パネル１０の周り
を囲む矩形枠状を有しており、本形態において、樹脂フレーム３０は、液晶パネル１０の
４つの辺毎に分割された４本のフレーム板３１、３２、３３、３４からなる。樹脂フレー
ム３０は黒色であり、光吸収部材として機能することによって、バックライト装置８内で
の迷光の発生を防止する。フレーム板３１、３２、３３、３４は各々、フレーム板３１、
３２、３３、３４の背面側で延在する側板部３１１、３２１、３３１、３４１と、側板部
３１１、３２１、３３１、３４１の前端縁から内側に向かって屈曲した前板部３１５、３
２５、３３５、３４５と、前板部３１５、３２５、３３５、３４５の高さ方向の途中位置
から内側に張り出した突板部３１２、３２２、３３２、３４２とを備えている。このため
、フレーム板３１、３２、３３、３４の内側には、突板部３１２、３２２、３３２、３４
２によって段部３１３、３２３、３３３、３４３が形成されており、かかる段部３１３、
３２３、３３３、３４３と突板部３１２、３２２、３３２、３４２とによって液晶パネル
１０が保持されている。また、突板部３１２、３２２、３３２、３４２の背面側には、バ
ックライト装置８の導光板８０や発光素子８９等が配置されている。
【００３４】
支持プレート４０は、ＳＵＳ板等の薄い金属板に対するプレス加工等により形成されて
なる。支持プレート４０は、底板部４５と、底板部４５の外周縁のうち、Ｙ軸方向の一方
側Ｙ１を除く３つの辺から前側に起立する３つの側板部４２、４３、４４とを備えており
、側板部４２、４３、４４の外側には樹脂フレーム３０の側板部３２１、３３１、３４１
が重なっている。また、樹脂フレーム３０の側板部３１１は、支持プレート４０のＹ軸方
向の一方側Ｙ１を覆っている。
【００３５】
金属フレーム５０も、支持プレート４０と同様、ＳＵＳ板等の薄い金属板に対するプレ
ス加工等により形成されてなる。金属フレーム５０は、前板部５５と、前板部５５の外周
縁から下方に折れ曲がった４つの側板部５１、５２、５３、５４とを備えており、背面側
が開口する矩形の箱状になっている。側板部５１、５２、５３、５４は、樹脂フレーム３
０の側板部３１１、３２１、３３１、３４１の外側を覆うように重ねられている。前板部
５５には、液晶パネル１０から出射された光を出射する矩形の窓５５０が形成されており
、前板部５５は、液晶パネル１０の表示光出射側のうち、外周端部を全周にわたって覆っ
ている。また、金属フレーム５０の前板部５５は、同時に、樹脂フレーム３０の前板部３
１５、３２５、３３５、３４５の前方を完全に覆うように設置されている。
【００３６】
このように構成した金属フレーム５０、樹脂フレーム３０、および支持プレート４０は
ネジ（図示せず）等により結合されて、内側に液晶パネル１０やバックライト装置８を保
持する。この状態で、支持プレート４０は、バックライト装置８を介して液晶パネル１０
を支持している。
【００３７】
（液晶パネル１０の構成）
液晶パネル１０は、四角形の平面形状を有する液晶パネルであり、画素電極（図示せず
）等が形成された素子基板１１と、素子基板１１に対して所定の隙間を介して対向配置さ
れた対向基板１２と、この対向基板１２と素子基板１１とを貼り合せる矩形枠状のシール
材（図示せず）とを備えている。かかる液晶パネル１０の詳細な構成の説明や図示は省略
するが、シール材で囲まれた領域内に液晶層が保持されている。素子基板１１および対向
基板１２はガラス基板等の透光性基板からなる。素子基板１１では、Ｘ軸方向に複数本の
走査線が延在している一方、Ｙ軸方向には複数本のデータ線が延在しており、走査線とデ
ータ線との交差に対応して、スイッチング素子および画素電極（図示せず）が設けられて
いる。
【００３８】
本形態では、対向基板１２が表示光の出射側に配置され、素子基板１１はバックライト
装置８の側に配置されている。また、対向基板１２において、素子基板１１と対向する面
には、シール材の４つの辺の内縁に沿って、矩形枠状の遮光層からなる額縁層が形成され
ており、額縁層の内縁により規定された領域が画像表示領域１００ａである。
【００３９】
液晶パネル１０は、ＴＮ（Ｔｗｉｓｔｅｄ  Ｎｅｍａｔｉｃ）方式、ＥＣＢ（Ｅｌｅｃ
ｔｒｉｃａｌｌｙ  Ｃｏｎｔｒｏｌｌｅｄ  Ｂｉｒｅｆｒｉｎｇｅｎｃｅ）方式、あるい
はＶＡＮ（Ｖｅｒｔｉｃａｌ  Ａｌｉｇｎｅｄ  Ｎｅｍａｔｉｃ）方式の液晶パネルとし
て構成されており、素子基板１１に画素電極が形成され、対向基板１２に共通電極（図示
せず）が形成されている。なお、液晶パネル１０がＩＰＳ（Ｉｎ  Ｐｌａｎｅ  Ｓｗｉｔ
ｃｈｉｎｇ）方式や、ＦＦＳ（Ｆｒｉｎｇｅ  Ｆｉｅｌｄ  Ｓｗｉｔｃｈｉｎｇ）方式の
液晶パネルである場合、共通電極は、素子基板１１の側に設けられる。また、素子基板１
１が対向基板１２に対して表示光の出射側に配置されることもある。液晶パネル１０の上
面には上偏光板１８が重ねて配置され、液晶パネル１０の下面とバックライト装置８との
間には下偏光板１７が配置されている。
【００４０】
本形態において、素子基板１１は対向基板１２より大きい。このため、素子基板１１は
、Ｙ軸方向の一方側Ｙ１において対向基板１２の端部から張り出した張り出し部分１１０
を有しており、かかる張り出し部分１１０には複数枚のフレキシブル配線基板２００が接
続されている。また、複数枚のフレキシブル配線基板２００は、共通の配線基板２５０に
接続されており、かかるフレキシブル配線基板２００および共通の配線基板２５０を介し
て、液晶パネル１０に信号等が入力される。
【００４１】
（バックライト装置８の構成）
バックライト装置８は、液晶パネル１０の背面側に重ねて配置された導光板８０と、導
光板８０の光入射部８０ａに発光面を向けて配列された複数の発光素子８９とを備えてお
り、発光素子８９は、図１に示す光源駆動部２８０によって駆動される。複数の発光素子
８９は、光入射部８０ａに沿って延在する光源用基板８８の一方面８８１に実装されてい
る。発光素子８９は、白色光を出射するＬＥＤ（Ｌｉｇｈｔ  Ｅｍｉｔｔｉｎｇ  Ｄｉｏ
ｄｅ）であり、光源光を発散光として出射する。
【００４２】
本形態のバックライト装置８においては、導光板８０の側面８０１、８０２、８０３、
８０４が光入射部８０ａとして利用されている。このため、複数の発光素子８９は、導光
板８０の４つの側面８０１、８０２、８０３、８０４に発光面を向け、側面８０１、８０
２、８０３、８０４の各々の一方端側から他方端側に向かって一列に配列されている。こ
のため、発光素子８９は、図１（ｂ）に示すように、導光板８０の側面８０１に沿って配
列された発光素子列８ａと、導光板８０の側面８０１に対向する側面８０２に沿って配列
された発光素子列８ｂと、導光板８０の側面８０１、８０２に隣り合う側面８０３に沿っ
て配列された発光素子列８ｃと、導光板８０の側面８０３に対向する側面８０４に沿って
配列された発光素子列８ｄとからなる。また、光源用基板８８は、４つの光入射部８０ａ
の各々に沿って延在しており、かかる光源用基板８８の各々の一方面８８１に複数の発光
素子８９が実装されている。
【００４３】
導光板８０は、アクリル樹脂やポリカーボネート樹脂等からなる透光性の樹脂板であり
、導光板８０の背面８０ｃと支持プレート４０の底板部４５との間には反射シート１８７
が重ねて配置されている。導光板８０の前面（光出射面８０ｂ）と液晶パネル１０との間
には拡散シート１８２、プリズムシート１８３、１８４等の光学シートが重ねて配置され
ている。拡散シート１８２は、アクリル樹脂やポリカーボネート樹脂等の透光性樹脂にシ
リカ粒子等を分散したコーティング層を備えたシートからなる。２枚のプリズムシート１
８３、１８４は、互いの稜線が直交するように配置されている。このため、導光板８０の
光出射面８０ｂから出射された照明光は、拡散シート１８２によって全方向に拡散した後
、２枚のプリズムシート１８３、１８４によって、液晶パネル１０の正面方向にピークを
持つような指向性が付与されている。
【００４４】
導光板８０において、反射シート１８７が位置する側の面である背面８０ｃには、凹状
の微細な窪みや、拡散部材の印刷層からなる拡散パターンが形成されている。このため、
導光板８０から出射される照明光の強度分布は、発光素子８９からの距離にかかわらず、
均一化されている。かかる拡散パターンとして、本形態では、導光板８０の背面８０ｃに
微細な溝状の凹部が多数設けられている。
【００４５】
光源用基板８８は、発光素子８９が実装されている一方面８８１が導光板８０の光入射
部８０ａに対向するように配置されている。また、光源用基板８８は、光入射部８０ａに
沿って延在する板状の金属板の一方面８８１側に、配線パターンやランドが絶縁層ととも
に設けられた構造を有している。かかる構成は、例えば、金属板の一方面側に、樹脂基材
層、配線パターンおよび絶縁保護層等がこの順に積層されたフレキシブル配線基板を貼り
合わせることにより実現することができる。従って、金属板と配線パターン及び発光素子
８９のチップが実装されるランドは電気的に絶縁性が確保されている。
【００４６】
４枚の光源用基板８８の各々の他方面８８２側には、光源用基板８８を保持する光源支
持部材６０が各々配置されており、光源支持部材６０は、支持プレート４０および樹脂フ
レーム３０の間に配置されて保持されている。光源支持部材６０は、光源用基板８８の他
方面８８２に沿って延在する棒状の金属部品であり、光源用基板８８の他方面８８２の全
面と支持板部６２の基板保持面６２０において面接触状態で密着して固定されている。ま
た、光源支持部材６０は、支持プレート４０の底板部４５に重なる後板部６１と、後板部
６１の幅方向の途中位置から上方に突出した壁面を構成する支持板部６２とを有している
。また、光源支持部材６０は、支持板部６２から導光板８０が位置する側とは反対側に折
れ曲がった前板部６３を支持板部６２の上端側（後板部６１と反対の側）に備えており、
前板部６３は、ネジ等によって金属フレーム５０の前板部５５、および樹脂フレーム３０
の前板部３１５、３２５の少なくともいずれか一方に固定されている。
【００４７】
（３Ｄ表示時および２Ｄ表示時の発光素子８９の制御）
図４は、本発明の実施の形態１に係る液晶表示装置１００における発光素子８９の点灯
パターンを示す説明図であり、図４（ａ）、（ｂ）は各々、３Ｄモード（第１モード）に
おける発光素子８９の点灯状態を示す説明図、および２Ｄモード（第２モード）における
発光素子８９の点灯状態を示す説明図である。なお、図４においては、点灯状態にある発
光素子８９には斜線を付してある。
【００４８】
本形態の液晶表示装置１００においては、図１に示す画像信号供給部２７０から出力さ
れた信号等に基づいて、液晶パネル１０の画像表示領域１００ａの全域に３Ｄ画像が表示
される３Ｄモード（第１モード）と、液晶パネル１０の画像表示領域１００ａの全域に２
Ｄ画像が表示される２Ｄモード（第２モード）とが実行される。３Ｄモードにおいては、
図１０（ｂ）を参照して説明したように、時間ｔ０〜ｔ１は、それまでの画像表示期間（
第１画像表示期間）で表示されていた左目用の画像（Ｌ）を画像表示領域１００ａの上側
から下側に向かって右目用の画像（Ｒ）に書き換える過渡期間（第１過渡期間）であり、
かかる過渡期間では、バックライト装置８を消灯状態とする。時間ｔ０〜ｔ１の過渡期間
において、左目用の画像（Ｌ）から右目用の画像（Ｒ）への書き換えが終了すると、次に
時間ｔ１〜ｔ２において右目用の画像（Ｒ）を再度、液晶パネル１０に書き込み、右目用
の画像（Ｒ）を表示する（画像表示期間／第１画像表示期間）。かかる時間ｔ１〜ｔ２に
おいては画像表示領域１００ａの全域で右目用の画像（Ｒ）が表示されており、バックラ
イト装置８を点灯状態とする。次に、それまでの画像表示期間（第２画像表示期間）で表
示されていた右目用の画像（Ｒ）を、時間ｔ２〜ｔ３の過渡期間で液晶パネルの上側から
下側に向かって光り目用の画像（Ｌ）に書き換える（第２過渡期間）。かかる過渡期間で
は、バックライト装置８を消灯状態とする。以降、同様な動作を繰り返す。これに対して
液晶パネル１０の画像表示領域１００ａの全域に２Ｄ画像を表示する場合（２Ｄモード）
においては、図１０（ｃ）に示すように、バックライト装置８を常時点灯状態とする。
【００４９】
かかる液晶表示装置１００において、本形態では、図４（ａ）に示す３Ｄモード時には
、複数の発光素子８９のうち、複数の第１発光素子（第１発光素子列）および複数の第２
発光素子（第２発光素子列）の全てを間欠的に点灯させる。これに対して、図４（ｂ）に
示す２Ｄモード時には、発光素子列毎に点灯条件を制御し、複数の発光素子８９のうち、
複数の第１発光素子（第１発光素子列）の各々の発光強度を３Ｄモード時と同一とし、複
数の第２発光素子（第２発光素子列）の各々の発光強度を３Ｄモード時より低減させる。
【００５０】
より具体的には、本形態において、複数の第１発光素子は、導光板８０において一方方
向（Ｙ軸方向）で対向する第１組の２つの側面８０１、８０２に沿って配列された発光素
子列８ａ、８ｂ（第１発光素子列）であり、複数の第２発光素子は、導光板８０において
他方方向（Ｘ軸方向）で対向する第２組の２つの側面８０３、８０４に沿って配列された
発光素子列８ｃ、８ｄ（第２発光素子列）である。従って、３Ｄモードにおいては、図１
０（ｂ）に示す時間ｔ１〜ｔ２において右目用の画像（Ｒ）を再度、液晶パネル１０に書
き込む際、および時間ｔ３〜ｔ４において左目用の画像（Ｌ）を再度、液晶パネル１０に
書き込む際、発光素子列８ａ、８ｂ（第１発光素子列）および発光素子列８ｃ、８ｄ（第
２発光素子列）に属する発光素子８９を全て間欠的に点灯させる。
【００５１】
これに対して、２Ｄモードにおいては、バックライト装置８を常時点灯させるが、その
際、複数の第１発光素子（発光素子列８ａ、８ｂ／第１発光素子列）の各々の発光強度に
ついては３Ｄモード時と同一とし、複数の第２発光素子（発光素子列８ｃ、８ｄ／第２発
光素子列）の各々の発光強度については３Ｄモード時より低減させる。本形態では、２Ｄ
モード時、複数の第２発光素子（発光素子列８ｃ、８ｄ）については消灯状態とし、各々
の発光強度については０とする。
【００５２】
なお、本形態において、３Ｄモードにおいて発光素子列８ａ、８ｂ、８ｃ、８ｄが点灯
した際の発光強度はいずれの発光素子８９でも同一であり、２Ｄモードにおいて発光素子
列８ａ、８ｂが点灯した際の発光強度はいずれの発光素子８９でも、３Ｄモード時と同一
である。
【００５３】
（本形態の主な効果）
以上説明したように、本形態の液晶表示装置１００では、３Ｄモード（第１モード）で
はバックライト装置８の点灯が間欠的であるのに対して、２Ｄモード（第２モード）では
バックライト装置８の点灯が連続的である。また、３Ｄモードにおいては、発光素子列８
ａ、８ｂ、８ｃ、８ｄに属する発光素子８９を全て間欠的に点灯させる一方、２Ｄモード
では、発光素子列８ａ、８ｂ、８ｃ、８ｄのうち、発光素子列８ａ、８ｂに属する発光素
子８９のみを連続点灯させる。このため、３Ｄ画像の表示時は、図４（ａ）に矢印で示す
光源光Ｂａ、Ｂｂ、Ｂｃ、Ｂｄが導光板８０に入射する一方、２Ｄ画像の表示時は、図４
（ｂ）に矢印で示す光源光Ｂａ、Ｂｂが導光板８０に入射する。このため、３Ｄ画像の表
示の際、光源光Ｂａ、Ｂｂ、Ｂｃ、Ｂｄが間欠的に利用されるという制約があっても、３
Ｄ画像と２Ｄ画像との明るさの差を圧縮することができる。また、２Ｄモード時には、発
光素子８９の制御を列毎（発光素子列毎）に行うので、発光素子列８ａ、８ｂでは、点灯
した発光素子８９が連続的に存在し、点灯した発光素子８９の間に消灯した発光素子８９
が存在しない。従って、導光板８０から液晶パネル１０に入射する光の強度分布が劣化し
ないので、２Ｄモード時、画像の品位の低下を抑えることができる。
【００５４】
また、本形態では、２Ｄモードの際、点灯している発光素子８９（発光素子列８ａ、８
ｂ）の数が、消灯している発光素子８９（発光素子列８ｃ、８ｄ）の数より多い。従って
、３Ｄ画像と２Ｄ画像との明るさの差を圧縮しつつ、２Ｄ画像を明るく表示することがで
きる。
【００５５】
［実施の形態１の変形例］
実施の形態１においては、導光板８０において一方方向（Ｙ軸方向）で対向する第１組
の側面が側面８０１、８０２であり、他方方向（Ｙ軸方向）で対向する第２組の側面が側
面８０３、８０４であったが、第１組の側面が側面８０３、８０４であり、第２組の側面
が側面８０１、８０２である構成を採用してもよい。かかる構成の場合、複数の第１発光
素子（第１発光素子列）は、第１組に属する２つの側面８０３、８０４に沿って配列され
た発光素子列８ｃ、８ｄであり、複数の第２発光素子（第２発光素子列）は、第２組に属
する２つの側面８０１、８０２に沿って配列された発光素子列８ａ、８ｂである。従って
、３Ｄモードにおいては、第１発光素子（発光素子列８ｃ、８ｄ）および第２発光素子（
発光素子列８ａ、８ｂ）が間欠的に点灯する。これに対して、２Ｄモードにおいては、第
１発光素子（発光素子列８ｃ、８ｄ）が連続点灯し、第２発光素子（発光素子列８ａ、８
ｂ）は消灯する。このため、本形態でも、実施の形態１と同様、３Ｄ画像と２Ｄ画像との
明るさの差を圧縮することができる。また、２Ｄモード時には、発光素子８９の制御を列
毎（発光素子列毎）に行うので、点灯した発光素子８９の間に消灯した発光素子８９が存
在しない。従って、導光板８０から液晶パネル１０に入射する光の強度分布が劣化しない
ので、２Ｄモード時、画像の品位の低下を抑えることができる。
【００５６】
また、本形態では、２Ｄモードの際、点灯している発光素子８９（発光素子列８ｃ、８
ｄ）の数が、消灯している発光素子８９（発光素子列８ａ、８ｂ）の数より少ない。従っ
て、３Ｄ画像と２Ｄ画像との明るさの差をより圧縮することができる。
【００５７】
［実施の形態２］
図５は、本発明の実施の形態２に係る液晶表示装置１００における発光素子８９の点灯
パターンを示す説明図であり、図５（ａ）、（ｂ）は各々、３Ｄモードにおける発光素子
８９の点灯状態を示す説明図、および２Ｄモードにおける発光素子８９の点灯状態を示す
説明図である。なお、本形態の基本的な構成は、実施の形態１と同様であるため、共通す
る部分には同一の符号を付して、それらの説明を省略する。また、図５においては、点灯
状態にある発光素子８９には斜線を付してある。
【００５８】
実施の形態１においては、導光板８０の４つの側面８０１、８０２、８０３、８０４に
沿って発光素子８９が配列されていたが、本形態では、図５に示すように、導光板８０に
おいて一方方向（Ｘ軸方向）に延在している側面８０１に沿って発光素子８９（発光素子
列８ａ）が配列され、導光板８０において他方方向（Ｙ軸方向）に延在している側面８０
３に沿って発光素子８９（発光素子列８ｃ）が配列されている。ここで、側面８０３に沿
って配列している発光素子８９（発光素子列８ｃ）が第１発光素子（第１発光素子列）で
あり、側面８０１に沿って配列している発光素子８９（発光素子列８ａ）が第２発光素子
（第２発光素子列）である。従って、図５（ａ）に示すように、３Ｄモードにおいては、
第１発光素子（発光素子列８ｃ）および第２発光素子（発光素子列８ａ）が間欠的に点灯
する。これに対して、図５（ｂ）に示すように、２Ｄモードにおいては、第１発光素子（
発光素子列８ｃ）が連続点灯し、第２発光素子（発光素子列８ａ）は消灯する。
【００５９】
このため、本形態でも、実施の形態１と同様、３Ｄ画像と２Ｄ画像との明るさの差を圧
縮することができる。また、２Ｄモード時には、発光素子８９の制御を列毎（発光素子列
毎）に行うので、点灯した発光素子８９の間に消灯した発光素子８９が存在しない。従っ
て、導光板８０から液晶パネル１０に入射する光の強度分布が劣化しないので、２Ｄモー
ド時、画像の品位の低下を抑えることができる。また、本形態では、２Ｄモードの際、点
灯している発光素子８９（発光素子列８ｃ）の数が、消灯している発光素子８９（発光素
子列８ａ）の数より少ない。従って、３Ｄ画像と２Ｄ画像との明るさの差をより圧縮する
ことができる。
【００６０】
［実施の形態２の変形例］
実施の形態２では、側面８０３に沿って配列している発光素子８９（発光素子列８ｃ）
が第１発光素子であり、側面８０１に沿って配列している発光素子８９（発光素子列８ａ
）が第２発光素子であったが、側面８０１に沿って配列している発光素子８９（発光素子
列８ａ）が第１発光素子であり、側面８０３に沿って配列している発光素子８９（発光素
子列８ｃ）が第２発光素子であってもよい。この場合、３Ｄモードにおいては、第１発光
素子（発光素子列８ａ）および第２発光素子（発光素子列８ｃ）が間欠的に点灯する。こ
れに対して、２Ｄモードにおいては、第１発光素子（発光素子列８ａ）が連続点灯し、第
２発光素子（発光素子列８ｃ）は消灯する。
【００６１】
［実施の形態３］
図６は、本発明の実施の形態３に係る液晶表示装置１００における発光素子８９の点灯
パターンを示す説明図であり、図６（ａ）、（ｂ）は各々、３Ｄモードにおける発光素子
８９の点灯状態を示す説明図、および２Ｄモードにおける発光素子８９の点灯状態を示す
説明図である。なお、本形態の基本的な構成は、実施の形態１と同様であるため、共通す
る部分には同一の符号を付して、それらの説明を省略する。また、図６においては、点灯
状態にある発光素子８９には斜線を付してある。
【００６２】
図６に示すように、本形態では、導光板８０において一方方向（Ｘ軸方向）で対向して
いる側面８０３、８０４に沿って発光素子８９（発光素子列８ｃ、８ｄ）が配列されてい
る。ここで、側面８０３に沿って配列している発光素子８９（発光素子列８ｃ）が第１発
光素子（第１発光素子列）であり、側面８０４に沿って配列している発光素子８９（発光
素子列８ｄ）が第２発光素子（第２発光素子列）である。従って、３Ｄモードにおいては
、第１発光素子（発光素子列８ｃ）および第２発光素子（発光素子列８ｄ）が間欠的に点
灯する。これに対して、２Ｄモードにおいては、第１発光素子（発光素子列８ｃ）が連続
点灯し、第２発光素子（発光素子列８ｄ）は消灯する。
【００６３】
このため、本形態でも、実施の形態１と同様、３Ｄ画像と２Ｄ画像との明るさの差を圧
縮することができる。また、２Ｄモード時には、発光素子８９の制御を列毎（発光素子列
毎）に行うので、点灯した発光素子８９の間に消灯した発光素子８９が存在しない。従っ
て、導光板８０から液晶パネル１０に入射する光の強度分布が劣化しないので、２Ｄモー
ド時、画像の品位の低下を抑えることができる。
【００６４】
［実施の形態３の改良例］
図７は、本発明の実施の形態３に係る液晶表示装置１００に用いた導光板８０の改良例
を示す説明図であり、図７（ａ）、（ｂ）は各々、導光板８０に形成した拡散パターンを
模式的に示す説明図、および拡散パターンを拡大して模式的に示す説明図である。なお、
本形態の基本的な構成は、実施の形態１、３と同様であるため、共通する部分には同一の
符号を付して、それらの説明を省略する。
【００６５】
実施の形態３において、導光板８０に対して、発光素子列８ｄ側からの入射光による輝
度分布の均一性を向上するために、発光素子列８ｄから離間する方向に向けて拡散度合が
増大する拡散パターンを設けると、かかる拡散パターンは、発光素子列８ｃからの入射光
に対しては発光素子列８ｄ側に近い位置では拡散度合が減少することになる。また、導光
板８０に対して、発光素子列８ｃ側からの入射光による輝度分布の均一性を向上するため
に、発光素子列８ｃから離間する方向に向けて拡散度合が増大する拡散パターンを設ける
と、かかる拡散パターンは、発光素子列８ｄからの入射光に対しては発光素子列８ｃ側に
近い位置では拡散度合が減少することになる。その結果、２Ｄモードでは輝度分布が劣化
するおそれがある。
【００６６】
そこで、本形態では、まず、複数の第１発光素子（発光素子列８ｃ）と複数の第２発光
素子（発光素子列８ｄ）とにおいて、導光板８０を挟んで対向する複数の第１発光素子側
の発光素子８９の第１出射光軸Ｅ１と、複数の第２発光素子側の発光素子８９の第２出射
光軸Ｅ２とが、発光素子８９が配置された側面８０３、８０４の延在方向（Ｙ軸方向）で
ずれている。
【００６７】
また、導光板８０には、第１出射光軸Ｅ１と平面視で重なる領域、および第２出射光軸
Ｅ２と平面視で重なる領域の各々に拡散パターン８０ｆが形成されている。ここで、拡散
パターン８０ｆは、スリット状の溝等であり、第１出射光軸Ｅ１や第２出射光軸Ｅ２と交
差する方向の寸法が長い程、拡散度合が大である。従って、本形態では、導光板８０にお
いて、第１出射光軸Ｅ１と平面視で重なる領域には、複数の第１発光素子（発光素子列８
ｃ）側の発光素子８９に近い位置から離間する位置に向かって拡散度合が増大する拡散パ
ターン８０ｆが形成され、第２出射光軸Ｅ２と平面視で重なる領域には、複数の第２発光
素子（発光素子列８ｄ）側の発光素子８９に近い位置から離間する位置に向かって拡散度
合が増大する拡散パターン８０ｆが形成されている。このため、２Ｄモードの際、導光板
８０を挟んで対向する複数の第１発光素子（発光素子列８ｃ）および複数の第２発光素子
（発光素子列８ｄ）のうち、第１発光素子（発光素子列８ｃ）を点灯させ、第２発光素子
（発光素子列８ｄ）を消灯させても、輝度分布を適正化することができる。
【００６８】
［実施の形態３の変形例］
上記実施の形態３およびその改良例では、側面８０３に沿って配列している発光素子８
９（発光素子列８ｃ）、および側面８０４に沿って配列している発光素子８９（発光素子
列８ｄ）を用いたが、側面８０１に沿って配列している発光素子８９（発光素子列８ａ）
、および側面８０２に沿って配列している発光素子８９（発光素子列８ｂ）の一方を第１
発光素子列とし、他方を第２発光素子列としてもよい。
【００６９】
［実施の形態４］
図８は、本発明の実施の形態４に係る液晶表示装置１００における発光素子８９の点灯
パターンを示す説明図であり、図８（ａ）、（ｂ）は各々、３Ｄモードにおける発光素子
８９の点灯状態を示す説明図、および２Ｄモードにおける発光素子８９の点灯状態を示す
説明図である。なお、本形態の基本的な構成は、実施の形態１と同様であるため、共通す
る部分には同一の符号を付して、それらの説明を省略する。また、図８においては、点灯
状態にある発光素子８９には斜線を付してある。
【００７０】
図８に示すように、本形態では、導光板８０において一方方向（Ｙ軸方向）で対向して
いる第１組の側面８０１、８０２に沿って発光素子８９（発光素子列８ａ、８ｂ）が配列
され、導光板８０において他方方向（Ｘ軸方向）で対向している第２組の側面８０３、８
０４に沿って発光素子８９（発光素子列８ｃ、８ｄ）が配列されている。ここで、第１組
の側面８０１、８０２のうち、一方の側面に沿って配列されている発光素子８９、および
第２組の側面８０３、８０４のうち、一方の側面に沿って配列されている発光素子８９が
第１発光素子（第１発光素子列）である。また、第１組の側面８０１、８０２のうち、他
方の側面に沿って配列されている発光素子８９、および第２組の側面８０３、８０４のう
ち、他方の側面に沿って配列されている発光素子８９が第２発光素子（第２発光素子列）
である。より具体的には、側面８０１に沿って配列している発光素子８９（発光素子列８
ａ）、および側面８０３に沿って配列している発光素子８９（発光素子列８ｄ）が第１発
光素子であり、側面８０２に沿って配列している発光素子８９（発光素子列８ｂ）、およ
び側面８０４に沿って配列されている発光素子８９（発光素子列８ｄ）が第２発光素子で
ある。従って、３Ｄモードにおいては、第１発光素子（発光素子列８ａ、８ｃ）および第
２発光素子（発光素子列８ｂ、８ｄ）が間欠的に点灯する。これに対して、２Ｄモードに
おいては、第１発光素子（発光素子列８ａ、８ｃ）が連続点灯し、第２発光素子（発光素
子列８ｂ、８ｄ）は消灯する。
【００７１】
このため、本形態でも、実施の形態１と同様、３Ｄ画像と２Ｄ画像との明るさの差を圧
縮することができる。また、２Ｄモード時には、発光素子８９の制御を列毎（発光素子列
毎）に行うので、点灯した発光素子８９の間に消灯した発光素子８９が存在しない。従っ
て、導光板８０から液晶パネル１０に入射する光の強度分布が劣化しないので、２Ｄモー
ド時、画像の品位の低下を抑えることができる。
【００７２】
［実施の形態４の改良例］
図９は、本発明の実施の形態４に係る液晶表示装置１００に用いた導光板８０の改良例
を示す説明図であり、拡散パターンを拡大して模式的に示す説明図である。なお、本形態
の基本的な構成は、実施の形態１、４等と同様であるため、共通する部分には同一の符号
を付して、それらの説明を省略する。
【００７３】
実施の形態４において、導光板８０に対して、発光素子列８ａからの入射光による輝度
分布の均一性を向上するために、発光素子列８ａから離間する方向に向けて拡散度合が増
大する拡散パターンを設けると、かかる拡散パターンは、発光素子列８ｂからの入射光に
対しては発光素子列８ａに近い位置では拡散度合が減少することになる。また、発光素子
列８ｃからの入射光による輝度分布の均一性を向上するために、発光素子列８ｃから離間
する方向に向けて拡散度合が増大する拡散パターンを設けると、かかる拡散パターンは、
発光素子８ｄからの入射光に対しては発光素子列８ｃに近い位置では拡散度合が減少する
ことになる。その結果、３Ｄモードでは輝度分布が低下するおそれがある。
【００７４】
そこで、本形態では、まず、複数の第１発光素子（発光素子列８ａ）と複数の第２発光
素子（発光素子列８ｂ）とにおいて、導光板８０を挟んで対向する複数の第１発光素子側
の発光素子８９の第１出射光軸Ｅ１１、および複数の第２発光素子側の発光素子８９の第
２出射光軸Ｅ１２が、発光素子８９が配置された側面８０１、８０２の延在方向でずれて
いる。
【００７５】
また、導光板８０には、第１出射光軸Ｅ１１と平面視で重なる領域、および第２出射光
軸Ｅ１２と平面視で重なる領域の各々に拡散パターン８０ｆが形成されている。ここで、
拡散パターン８０ｆは、スリット状の溝等であり、第１出射光軸Ｅ１１や第２出射光軸Ｅ
１２と交差する方向の寸法が長い程、拡散度合が大である。従って、本形態では、導光板
８０において、第１出射光軸Ｅ１１と平面視で重なる領域には、複数の第１発光素子（発
光素子列８ａ）側の発光素子８９に近い位置から離間する位置に向かって拡散度合が増大
する拡散パターン８０ｆが形成され、第２出射光軸Ｅ１２と平面視で重なる領域には、複
数の第２発光素子（発光素子列８ｂ）側の発光素子８９に近い位置から離間する位置に向
かって拡散度合が増大する拡散パターン８０ｆが形成されている。
【００７６】
また、複数の第１発光素子（発光素子列８ｃ）と複数の第２発光素子（発光素子列８ｄ
）とにおいて、導光板８０を挟んで対向する複数の第１発光素子側の発光素子８９の第１
出射光軸Ｅ２１、および複数の第２発光素子側の発光素子８９の第２出射光軸Ｅ２２は、
発光素子８９が配置された側面８０３、８０４の延在方向でずれている。
【００７７】
また、導光板８０には、第１出射光軸Ｅ２１と平面視で重なる領域、および第２出射光
軸Ｅ２２と平面視で重なる領域の各々に拡散パターン８０ｆが形成されている。ここで、
拡散パターン８０ｆは、スリット状の溝等であり、第１出射光軸Ｅ２１や第２出射光軸Ｅ
２２と交差する方向の寸法が長い程、拡散度合が大である。従って、本形態では、導光板
８０において、第１出射光軸Ｅ２１と平面視で重なる領域には、複数の第１発光素子（発
光素子列８ｃ）側の発光素子８９に近い位置から離間する位置に向かって拡散度合が増大
する拡散パターン８０ｆが形成され、第２出射光軸Ｅ２２と平面視で重なる領域には、複
数の第２発光素子（発光素子列８ｄ）側の発光素子８９に近い位置から離間する位置に向
かって拡散度合が増大する拡散パターン８０ｆが形成されている。
【００７８】
このため、２Ｄモードの際、導光板８０を挟んで対向する複数の第１発光素子（発光素
子列８ａ）および複数の第２発光素子（発光素子列８ｂ）のうち、第１発光素子（発光素
子列８ａ）を点灯させ、第２発光素子（発光素子列８ｂ）を消灯させても、輝度分布を適
正化することができる。また、３Ｄモードの際、導光板８０を挟んで対向する複数の第１
発光素子（発光素子列８ａ）および複数の第２発光素子（発光素子列８ｂ）を点灯させて
も、輝度分布を適正化することができる。更に、２Ｄモードの際、導光板８０を挟んで対
向する複数の第１発光素子（発光素子列８ｃ）および複数の第２発光素子（発光素子列８
ｄ）のうち、第１発光素子（発光素子列８ｃ）を点灯させ、第２発光素子（発光素子列８
ｄ）を消灯させても、輝度分布を適正化することができる。また、３Ｄモードの際、導光
板８０を挟んで対向する複数の第１発光素子（発光素子列８ｃ）および複数の第２発光素
子（発光素子列８ｄ）を点灯させても、輝度分布を適正化することができる。
【００７９】
［他の実施の形態］
上記実施の形態では、２Ｄモードの際に点灯する第１発光素子の列数（群数）と、２Ｄ
モードの際に消灯する第２発光素子の列数（群数）とが同一であったが、２Ｄモードの際
に点灯する第１発光素子の列数（群数）と、２Ｄモードの際に消灯する第２発光素子の列
数（群数）とが相違する構成であってもよい。具体的には、２Ｄモードの際に点灯する第
１発光素子列を側面８０１に沿って配置された発光素子列８ａとし、消灯する第２発光素
子列を側面８０２、８０３、８０４に沿って配置された発光素子列８ｂ、８ｃ、８ｄとす
ることができる。これにより３Ｄ画像と２Ｄ画像の明るさの差をより圧縮することができ
る。また、２Ｄモードの際に点灯する第１発光素子列を側面８０２に沿って配置された発
光素子列８ｂとし、消灯する第２発光素子列を側面８０１、８０３、８０４に沿って配置
された発光素子列８ａ、８ｃ、８ｄとしても構わない。更には、２Ｄモードの際に点灯す
る第１発光素子列を側面８０１に沿って配置された発光素子列８ａとし、消灯する第２発
光素子列を側面８０３、８０４に沿って配置された発光素子列８ｃ、８ｄとすることがで
きる。この場合は、側面８０２側には発光素子列は配置されない。
【００８０】
また、上記実施の形態では、第１発光素子列の発光素子８９毎の発光強度と、第２発光
素子列の発光素子８９毎の発光強度とが同一であったが、第１発光素子列の発光素子８９
毎の発光強度と、第２発光素子の発光素子８９毎の発光強度とが相違する構成であっても
よい。具体的には、実施の形態１で用いた液晶表示装置において、側面８０３、８０４に
沿って配置される第２発光素子として、側面８０１、８０２に沿って配置される第１発光
素子より発光輝度が高い物を用いることができる。これにより３Ｄ画像と２Ｄ画像の明る
さの差をより圧縮することができる。また、側面８０１、８０２に沿って配置される第１
発光素子として、側面８０３、８０４に沿って配置される第２発光素子より発光輝度が高
い物を用いることもできる。この場合には、３Ｄ画像と２Ｄ画像との明るさの差を圧縮し
つつ、２Ｄ画像を明るく表示することができる。
【００８１】
また、発光素子の輝度を変えずに、第１発光素子列と第２発光素子列における発光素子
の実装密度を変えても同様な効果をえることができる。
【００８２】
上記実施の形態では、２Ｄモードの際、第２発光素子については消灯したが、第２発光
素子が３Ｄモードより低減した発光強度で点灯している構成を採用してもよい。
【００８３】
上記実施の形態では、第１発光素子列の発光素子の発光強度は２Ｄモード、３Ｄモード
で同一としたが、２Ｄモードの際、第１発光素子列の発光素子を減光させても構わない。
その場合、発光素子列毎に減光を行う必要がある。また、この場合第２発光素子について
は３Ｄ画像表示時は第１発光素子と同一の発光輝度で発光するが、２Ｄ画像表示時は消灯
している。第１発光素子列の減光を全ての第１発光素子で均一に行うことにより、導光板
から液晶パネルに入射する光の強度分布が劣化しないので、２Ｄモード時、画像の品位の
低下を抑えることができる。
【００８４】
［第１モードおよび第２モードの他の実施の形態］
上記実施の形態では、時間をずらして３Ｄ画像用の左目用の画像（第１画像）および右
目用の画像（第２画像）を表示する３Ｄモード（第１モード）を実行し、時間的あるいは
光学的に分割せずに２Ｄ画像を表示する２Ｄモード（第２モード）を実行する場合を例示
したが、複数人で異なる２Ｄ画像を見る液晶表示装置に本発明を適用してもよい。より具
体的には、図１０において、左目用の画像（Ｌ）および右目用の画像（Ｒ）は各々、特定
の人に視認させる第１画像、および他の人に視認させる第２画像に相当する。この場合、
第２画像を見る人は、時間ｔ１−ｔ２期間で両目共、シャッター眼鏡のシャッターが透過
状態となり他の期間は遮光状態となる。これに対して、第１画像を見る人は、時間ｔ３−
ｔ４で両目共、シャッター眼鏡が透過状態となり他の期間は遮光状態となる。なお、複数
人が２Ｄの同一画像を見る場合には、全期間、シャッター眼鏡を装着しないか、シャッタ
ー眼鏡は、両目共、透過状態となる。
【００８５】
また、上記実施の形態では、３Ｄモード（第１モード）において、時間をずらして第１
画像および第２画像を表示する形態であったが、第１画像と第２画像を光学的に分割して
同時に画像表示領域１００ａに表示してもよい。例えば、奇数番目および偶数番目の走査
線に対応する画素列毎に、偏光板外側に光軸が９０度異なる１／４λ板を配置し、例えば
右目用の画像（第１画像）は左円偏光とし、左目用の画像（第２画像）は右円偏光とする
。この場合、眼鏡は偏光板外側に両目とも１／４λ板を貼り付けたものを使用する。これ
により、例えば、右目は奇数走査線に対応する画素列（複数の第１画素）によって表示さ
れる画像を視認し、左目は偶数走査線に対応する画素列（複数の第２画素）によって表示
される画像を認識することになる。
【００８６】
［電子機器への搭載例］
上述実施形態では、液晶表示装置１００を搭載した電子機器２０００として、液晶テレ
ビジョンを例示したが、液晶テレビジョン以外にも、パーソナルコンピューターのディス
プレイ、デジタルサイネージ、カーナビゲーション装置、携帯用情報端末等の電子機器の
表示部に用いた液晶表示装置１００に本発明を適用してもよい。
【符号の説明】
【００８７】
８・・バックライト装置、８ａ、８ｂ、８ｃ、８ｄ・・発光素子列、１０・・液晶パネル
、８０・・導光板、８０ｆ・・拡散パターン、８９・・発光素子、１００・・液晶表示装
置、１００ａ・・画像表示領域、２８０・・光源駆動部、８０１、８０２、８０３、８０
４・・導光板の側面
【図１】
2014032225.tif 000003
【図２】
2014032225.tif 000004
【図３】
2014032225.tif 000005
【図４】
2014032225.tif 000006
【図５】
2014032225.tif 000007
【図６】
2014032225.tif 000008
【図７】
2014032225.tif 000009
【図８】
2014032225.tif 000010
【図９】
2014032225.tif 000011
【図１０】
2014032225.tif 000012